Podtech/llm-jp-corpus-v4-ja_patent huggingface dataset:
【手続補正書】
【提出日】平成18年7月10日(2006.7.10)
【手続補正１】
【補正対象書類名】特許請求の範囲
【補正対象項目名】全文
【補正方法】変更
【補正の内容】
【特許請求の範囲】
【請求項１】
女性用の香料組成物の調香方法であって、香料組成物を構成すべき香料を、「ボディー」、「キャラクター」及び「トッピング」の三種の群に分割し、該三種の香料群より、それぞれ少なくとも１種ずつの香料を選択し、これを混合することを特徴とする、調香方法。
【請求項２】
前記「ボディー」の群が、「ブーケ」、「フロリエンタル」、「オリエンタル」及び「シプル」の４種に分類されていることを特徴とする、請求項１に記載の調香方法。
【請求項３】
前記「キャラクター」の群が、「シトラス」、「フルティー」、「グリーン」、「フローラル」、「モダンフローラル」、「スパイシー」、「ウッディー」及び「アニマル」の８種に分類されることを特徴とする、請求項１又は２に記載の調香方法。
【請求項４】
前記「トッピング」の群が、「洋なし」、「白桃」、「苺」、「葡萄」、「パイナップル」、「林檎」、「杏子」及び「マリン」の８種であることを特徴とする、請求項１〜３何れか１項に記載の調香方法。
【請求項５】
「ボディー」の群から選択された１種の香料を４質量部、「キャラクター」の群から選択された１種の香料を１質量部及び「トッピング」の群から選択された２種の香料をそれぞれ１質量部の割合で混合することを特徴とする、請求項１〜４何れか１項に記載の調香方法。
【手続補正２】
【補正対象書類名】明細書
【補正対象項目名】０００５
【補正方法】変更
【補正の内容】
【０００５】
本発明は、この様な状況下為されたものであり、専門知識なしに、イメージ通りの調香を為しうる技術を提供することを課題とする。
【手続補正３】
【補正対象書類名】明細書
【補正対象項目名】０００６
【補正方法】変更
【補正の内容】
【０００６】
この様な状況に鑑みて、本発明者等は、専門知識なしに、イメージ通りの調香を為しうる技術を求めて、鋭意研究努力を重ねた結果、香料組成物の調香方法であって、香料組成物を構成すべき香料を、三種の群に分割し、該三種の香料群より、それぞれ少なくとも１種ずつの香料を選択し、これを混合することにより、その様な調香が可能であることを見出し、発明を完成させるに至った。即ち、本発明は、以下に示す技術に関するものである。（１）女性用の香料組成物の調香方法であって、香料組成物を構成すべき香料を、「ボディー」、「キャラクター」及び「トッピング」の三種の群に分割し、該三種の香料群より、それぞれ少なくとも１種ずつの香料を選択し、これを混合することを特徴とする、調香方法。
（２）前記「ボディー」の群が、「ブーケ」、「フロリエンタル」、「オリエンタル」及び「シプル」の４種に分類されていることを特徴とする、（１）に記載の調香方法。
（３）前記「キャラクター」の群が、「シトラス」、「フルティー」、「グリーン」、「フローラル」、「モダンフローラル」、「スパイシー」、「ウッディー」及び「アニマル」の８種に分類されることを特徴とする、（１）又は（２）に記載の調香方法。
（４）前記「トッピング」の群が、「洋なし」、「白桃」、「苺」、「葡萄」、「パイナップル」、「林檎」、「杏子」及び「マリン」の８種であることを特徴とする、（１）〜（３）何れか１項に記載の調香方法。
（５）「ボディー」の群から選択された１種の香料を４質量部、「キャラクター」の群から選択された１種の香料を１質量部及び「トッピング」の群から選択された２種の香料をそれぞれ１質量部の割合で混合することを特徴とする、（１）〜（４）何れか１に記載の調香方法。
【手続補正４】
【補正対象書類名】明細書
【補正対象項目名】０００９
【補正方法】変更
【補正の内容】
【０００９】
本発明の調香方法では、「ボディー」の群から選択された１種の香料を４質量部、「キャラクター」の群から選択された１種の香料を１質量部及び「トッピング」の群から選択された２種の香料をそれぞれ１質量部の割合で混合することを特徴とする。この様な割合での混合では、香調のバランスを崩れることなく、調香することが可能である。この様な調香において、量比を間違えずに、正確に調香するためには、図２に示すシートを用いて、調香に用いた香料を記録しておくことが、再現性を確保する意味で好ましい。この様な、本発明の調香方法によって得られた香料組成物は、バランスが良く、自分の欲している香りを試行錯誤して調整する上でも、ボディーのイメージを認識することにより、極めて効率的に調香が行え、しかも、全く使えない香料組成物には至らないので、極めて好ましい。更に、シートさえあれば、複雑な機器や操作もいらないので、一般人でも容易に調香が為しうる。かくして得られた香料組成物は、女性用の香料組成物として極めて有用である。本発明の調香方法によって得られる香料組成物は、希釈溶媒で希釈したり、シリカ、プラスチック或いは繊維等の吸収体に吸収せしめたり、任意成分とともに製剤化することにより、オーデコロン、香水等の身体用のフレグランス、カーフレグランスやルームフレグランスなどの空間用のフレグランスに加工することが出来る。
【手続補正書】
【提出日】平成18年11月15日(2006.11.15)
【手続補正１】
【補正対象書類名】特許請求の範囲
【補正対象項目名】全文
【補正方法】変更
【補正の内容】
【特許請求の範囲】
【請求項１】
香料組成物の調香方法であって、香料組成物を構成すべき香料を、三種の群に分割し、該三種の香料群より、それぞれ少なくとも１種ずつの香料を選択し、これを混合する、香料組成物の調香方法であって、前記三種の香料群の内の一種が男性用の性格付けのための香料群であることを特徴とする、香料組成物の調香方法。
【請求項２】
前記三種の香料群が、「ボディー」、「キャラクター」及び「男性用の性格付けのトッピング」の三種であることを特徴とする、請求項１に記載の調香方法。
【請求項３】
前記「ボディー」の群が、「ブーケ」、「フロリエンタル」、「オリエンタル」及び「シプル」の４種に分類されていることを特徴とする、請求項１又は２に記載の調香方法。
【請求項４】
前記「キャラクター」の群が、「シトラス」、「フルティー」、「グリーン」、「フローラル」、「モダンフローラル」、「スパイシー」、「ウッディー」及び「アニマル」の８種に分類されることを特徴とする、請求項１〜３何れか１項に記載の調香方法。
【請求項５】
前記「男性用の性格付けのトッピング」の群が、「都会的」、「スポーティー」、「古典的」、「ナイーブ」、「ロマン」、「情熱的」、「カジュアル」及び「ウォータリー」の８種であることを特徴とする、請求項１〜４何れか１項に記載の調香方法。
【請求項６】
香料組成物が男性用の香料組成物であることを特徴とする、請求項１〜５何れか１項に記載の調香方法。
【請求項７】
「ボディー」の群から選択された１種の香料を４質量部、「キャラクター」の群から選択された１種の香料を１質量部及び「男性用の性格付けのトッピング」の群から選択された２種の香料をそれぞれ１質量部の割合で混合することを特徴とする、請求項１〜７何れか１項に記載の調香方法。
【手続補正２】
【補正対象書類名】明細書
【補正対象項目名】０００５
【補正方法】変更
【補正の内容】
【０００５】
本発明は、この様な状況下為されたものであり、専門知識なしに、イメージ通りの調香を為しうる技術を提供することを課題とする。
【手続補正３】
【補正対象書類名】明細書
【補正対象項目名】０００６
【補正方法】変更
【補正の内容】
【０００６】
この様な状況に鑑みて、本発明者等は、専門知識なしに、イメージ通りの調香を為しうる技術を求めて、鋭意研究努力を重ねた結果、香料組成物の調香方法であって、香料組成物を構成すべき香料を、三種の群に分割し、内一種を男性用の性格付けをする香料群とし、該三種の香料群より、それぞれ少なくとも１種ずつの香料を選択し、これを混合することにより、その様な調香が可能であることを見出し、発明を完成させるに至った。即ち、本発明は、以下に示す技術に関するものである。
（１）香料組成物の調香方法であって、香料組成物を構成すべき香料を、三種の群に分割し、該三種の香料群より、それぞれ少なくとも１種ずつの香料を選択し、これを混合する、香料組成物の調香方法であって、前記三種の香料群の内の一種が男性用の性格付けのための香料群であることを特徴とする、香料組成物の調香方法。
（２）前記三種の香料群が、「ボディー」、「キャラクター」及び「男性用の性格付けのトッピング」の三種であることを特徴とする、（１）に記載の調香方法。
（３）前記「ボディー」の群が、「ブーケ」、「フロリエンタル」、「オリエンタル」及び「シプル」の４種に分類されていることを特徴とする、（１）又は（２）に記載の調香方法。
（４）前記「キャラクター」の群が、「シトラス」、「フルティー」、「グリーン」、「フローラル」、「モダンフローラル」、「スパイシー」、「ウッディー」及び「アニマル」の８種に分類されることを特徴とする、（１）〜（３）何れか１項に記載の調香方法。（５）前記「男性用の性格付けのトッピング」の群が、「都会的」、「スポーティー」、「古典的」、「ナイーブ」、「ロマン」、「情熱的」、「カジュアル」及び「ウォータリー」の８種であることを特徴とする、（１）〜（４）何れか１項に記載の調香方法。
（６）香料組成物が男性用の香料組成物であることを特徴とする、（１）〜（５）何れか１項に記載の調香方法。
（７）「ボディー」の群から選択された１種の香料を４質量部、「キャラクター」の群から選択された１種の香料を１質量部及び「男性用の性格付けのトッピング」の群から選択された２種の香料をそれぞれ１質量部の割合で混合することを特徴とする、（１）〜（７）何れか１項に記載の調香方法。
【手続補正４】
【補正対象書類名】明細書
【補正対象項目名】０００９
【補正方法】変更
【補正の内容】
【０００９】
本発明の調香方法では、「ボディー」の群から選択された１種の香料を４質量部、「キャラクター」の群から選択された１種の香料を１質量部及び「男性用の性格付けのためのトッピング」の群から選択された２種の香料をそれぞれ１質量部の割合で混合することを特徴とする。この様な割合での混合では、香調のバランスを崩れることなく、調香することが可能である。この様な調香において、量比を間違えずに、正確に調香するためには、図２に示すシートを用いて、調香に用いた香料を記録しておくことが、再現性を確保する意味で好ましい。この様な、本発明の調香方法によって得られた香料組成物は、バランスが良く、自分の欲している香りを試行錯誤して調整する上でも、ボディーのイメージを認識
することにより、極めて効率的に調香が行え、しかも、全く使えない香料組成物には至らないので、極めて好ましい。更に、シートさえあれば、複雑な機器や操作もいらないので、一般人でも容易に調香が為しうる。かくして得られた香料組成物は、男性用の香料組成物として極めて有用である。本発明の調香方法によって得られる香料組成物は、希釈溶媒で希釈したり、シリカ、プラスチック或いは繊維等の吸収体に吸収せしめたり、任意成分とともに製剤化することにより、オーデコロン、香水等の身体用のフレグランス、カーフレグランスやルームフレグランスなどの空間用のフレグランスに加工することが出来る。
【手続補正書】
【提出日】平成17年11月9日(2005.11.9)
【手続補正１】
【補正対象書類名】明細書
【補正対象項目名】特許請求の範囲
【補正方法】変更
【補正の内容】
【特許請求の範囲】
【請求項１】
圧電素子と、
前記圧電素子の制御で振動するように結合された放射誘導器と、
前記圧電素子の制御で前記放射を方向付ける前記放射誘導器の方へ電磁放射を向けるように構成された放射源と、
を備えることを特徴とする放射誘導装置。
【請求項２】
前記圧電素子は、１対の電極の間にはさまれた圧電部材と、前記圧電部材から延び出て、前記電極に印加される交流電気信号に応答して振動するブレードとを有し、前記誘導器は、前記圧電部材から間隔を置いて前記ブレードに取り付けられることを特徴とする請求項１に記載の装置。
【請求項３】
前記放射誘導器は反射器を含むことを特徴とする請求項１に記載の装置。
【請求項４】
圧電素子と、
前記圧電素子を振動させるように接続された電気信号源と、
前記圧電素子の制御で振動するように結合された放射誘導器と、
前記圧電素子の制御で対象物の方へと前記放射を方向付ける前記放射誘導器の方へ電磁放射を向けるように構成された放射源と、
前記放射によってスキャンされた対象物からの放射を検出するように配置される放射検出器と、
を備えることを特徴とするスキャンステーション。
【請求項５】
前記誘導器は、前記信号源によって前記圧電素子に印加される交流電気信号に応答して、スキャン動作において前記放射を方向付けることを特徴とする請求項４に記載のスキャンステーション。
【請求項６】
前記放射検出器は、前記放射によってスキャンされたバーコードを読み取るように構成されることを特徴とする請求項４に記載のスキャンステーション。
【請求項７】
前記圧電素子は、１対の電極の間にはさまれた圧電部材と、前記圧電部材から延び出て、前記電極に印加される交流電気信号に応答して振動するブレードとを有し、前記誘導器は、前記圧電部材から間隔を置いて前記ブレードに取り付けられることを特徴とする請求項４から６までのいずれか１項に記載の装置。
【請求項８】
前記放射誘導器は反射器を含むことを特徴とする請求項４から６までのいずれか１項に記載の装置。
【請求項９】
往復方式で圧電素子を振動させることと、
前記圧電素子の動きを用いて、スキャン動作において電磁放射光線を方向付けることと、を含むことを特徴とする放射スキャン方法。
【請求項１０】
前記放射光線によってスキャンされた対象物から反射される放射を検出することをさらに含むことを特徴とする請求項９に記載の放射スキャン方法。
【請求項１１】
放射を検出することは、前記放射光線によってスキャンされたバーコードを読み取ることを含むことを特徴とする請求項１０に記載の放射スキャン方法。
【請求項１２】
前記圧電素子を振動させることは、前記圧電素子に交流電気信号を印加することをさらに含むことを特徴とする請求項９から１１までのいずれか１項に記載の放射スキャン方法。
【手続補正書】
【提出日】平成18年1月18日(2006.1.18)
【手続補正１】
【補正対象書類名】明細書
【補正対象項目名】発明の名称
【補正方法】変更
【補正の内容】
【発明の名称】インクジェットヘッド及び画像形成装置
【手続補正２】
【補正対象書類名】明細書
【補正対象項目名】特許請求の範囲
【補正方法】変更
【補正の内容】
【特許請求の範囲】
【請求項１】
インク滴を吐出するノズルと、ノズルが連通する吐出室と、この吐出室の少なくとも一部の壁面を形成する振動板と、この振動板に対向する電極とを有し、前記振動板を静電力で変形させることでインク滴を吐出させるインクジェットヘッドにおいて、前記振動板と電極との間で形成されるギャップの開口を無機膜で封止し、複数の前記ギャップを外部に連通する連通路の開口を有機膜で封止したことを特徴とするインクジェットヘッド。
【請求項２】
請求項１に記載のインクジェットヘッドにおいて、前記無機膜が酸化膜であることを特徴とするインクジェットヘッド。
【請求項３】
請求項２に記載のインクジェットヘッドにおいて、前記酸化膜はＣＶＤ法で形成された膜であることを特徴とするインクジェットヘッド。
【請求項４】
請求項２に記載のインクジェットヘッドにおいて、前記酸化膜は熱酸化法で形成された膜であることを特徴とするインクジェットヘッド。
【請求項５】
請求項１乃至４のいずれかに記載のインクジェットヘッドにおいて、前記有機膜が常温硬化型樹脂であることを特徴とするインクジェットヘッド。
【請求項６】
請求項１乃至５のいずれかに記載のインクジェットヘッドにおいて、前記ギャップの開口が前記ギャップよりも狭いことを特徴とするインクジェットヘッド。
【請求項７】
請求項１ないし６のいずれかに記載のインクジェットヘッドを搭載していることを特徴とする画像形成装置。
【手続補正３】
【補正対象書類名】明細書
【補正対象項目名】０００１
【補正方法】変更
【補正の内容】
【０００１】
【産業上の利用分野】
本発明はインクジェットヘッド及び画像形成装置に関する。
【手続補正４】
【補正対象書類名】明細書
【補正対象項目名】０００７
【補正方法】変更
【補正の内容】
【０００７】
本発明は上記の課題に鑑みてなされたものであり、経時的に安定したインクジェットヘッド、同ヘッドを備える画像形成装置を提供することを目的とする。
【手続補正５】
【補正対象書類名】明細書
【補正対象項目名】０００８
【補正方法】変更
【補正の内容】
【０００８】
【課題を解決するための手段】
上記の課題を解決するため、本発明に係るインクジェットヘッドは、振動板と電極との間で形成されるギャップの開口を無機膜で封止し、複数のギャップを外部に連通する連通路の開口を有機膜で封止したものである。本発明に係る画像形成装置は、本発明に係るインクジェットヘッドを搭載したものである。
【手続補正６】
【補正対象書類名】明細書
【補正対象項目名】００２４
【補正方法】変更
【補正の内容】
【００２４】
上記のように構成したインクジェットヘッドにおいては、個別の電極１５に対して、駆動回路により０Ｖ〜３５Ｖのパルス電位を印加することにより、電極１５の表面がプラスに帯電すると対応する振動板１０の下面がマイナス電位に帯電するので、振動板１０は静電引力により電極１５側に変形する。次に、電極１５へのパルス電位の印加をオフにすると、電極１５の表面に蓄積された電荷の放電に伴い吐出室側へ振動板１０が復元し、その際、吐出室６内に急激な体積変化／圧力変化が生じ、充填されたインク滴がノズル５から吐出される。
このインクジェットヘッドは、前述したようにプリンタ、ファクシミリ、複写装置等の画像形成装置に搭載することができる。
【手続補正７】
【補正対象書類名】明細書
【補正対象項目名】００５７
【補正方法】変更
【補正の内容】
【００５７】
【発明の効果】
以上説明したように、本発明に係るインクジェットヘッドによれば、振動板と電極との間で形成されるギャップの開口を無機膜で封止し、複数のギャップを外部に連通する連通路の開口を有機膜で封止したので、接着剤封止のような硬化時の気体の発生、硬化収縮による振動板の変形がなく、また振動室への接着剤の入り込み量のばらつきがなくなり、高温高湿下での信頼性が向上するとともに、減圧下で無機膜封止を行った場合に生じる振動板の変形を防ぐことができる。そして、本発明に係る画像形成装置によれば、本発明に係るインクジェットヘッドを備えたので、経時的に安定したインク滴吐出を行うことができる。
【手続補正書】
【提出日】平成18年2月21日(2006.2.21)
【手続補正１】
【補正対象書類名】明細書
【補正対象項目名】請求項４
【補正方法】変更
【補正の内容】
【請求項４】  低分子コラーゲンペプチド含量が０.１重量％〜２.０重量％である請求項１ないし３の何れかの項記載の安定な酸性乳飲料。
【手続補正２】
【補正対象書類名】明細書
【補正対象項目名】０００５
【補正方法】変更
【補正の内容】
【０００５】
しかしながら、上記の発酵乳飲料や、酸乳飲料（以下、両者合わせて「酸性乳飲料」という）にコラーゲン成分を配合した場合、安定化剤による安定化が損なわれてしまい、長期の保存安定性が不足してしまう。
【手続補正３】
【補正対象書類名】明細書
【補正対象項目名】００３６
【補正方法】変更
【補正の内容】
【００３６】
製 造 例  １
コラーゲンおよび低分子コラーゲンペプチドの製造：
酸処理豚皮ゼラチン１ｋｇを７５℃の温水４ｋｇに溶解し、６０℃に温度調整後、蛋白分解酵素としてパパインＷ−４０（天野製薬（株）製）を０.５〜１０ｇ添加し、ｐＨ５.０〜６.０、温度４５〜５５℃で１０〜１８０分間酵素処理後、８５℃で１０分間加熱して酵素を失活させた。次いで各反応液を６０℃に冷却させた後、精密濾過を行い、噴霧乾燥により粉末化して後記表１に示す通りの分子量を有するコラーゲンペプチドを得た。
【手続補正書】
【提出日】平成18年5月25日(2006.5.25)
【手続補正１】
【補正対象書類名】明細書
【補正対象項目名】発明の名称
【補正方法】変更
【補正の内容】
【発明の名称】スロットマシン
【手続補正２】
【補正対象書類名】明細書
【補正対象項目名】特許請求の範囲
【補正方法】変更
【補正の内容】
【特許請求の範囲】
【請求項１】
予め定めた特賞表示態様が出現すると特賞になる表示遊技を所定の遊技条件の成立に基づいて実行するスロットマシンにおいて、
該スロットマシンは、液晶ディスプレーの可変表示手段と、表示制御手段と、特賞発生手段とを有し、
前記可変表示手段は、識別情報をそれぞれ表示する複数の表示領域と該複数の表示領域に表示される識別情報を組み合せて単一の識別情報に表示することが可能であって、
前記表示制御手段は、前記複数の表示領域の識別情報を所定期間にわたってそれぞれ独立に変動させた後に停止させ、該停止状態が前記複数の表示領域で停止する場合と前記複数の表示領域に表示される識別情報を組合せて単一の識別情報に表示する場合とに制御し、
前記特賞発生手段は、前記表示制御手段によって、予め定めた単一の識別情報を形成する特賞表示態様が停止表示されたとき、前記特賞を付与するものであることを特徴とするスロットマシン。
【手続補正３】
【補正対象書類名】明細書
【補正対象項目名】０００１
【補正方法】変更
【補正の内容】
【０００１】
【発明の属する技術分野】
本発明は、予め定めた特賞表示態様が出現すると特賞になる表示遊技を所定の遊技条件の成立に基づいて実行する遊技機、特にスロットマシン遊技機（以下単にスロットマシンと称す）に関する。
【手続補正４】
【補正対象書類名】明細書
【補正対象項目名】０００２
【補正方法】変更
【補正の内容】
【０００２】
【従来の技術】
従来の遊技機としては、図柄合わせゲームなどの表示遊技を表示する液晶ディスプレイを遊技盤上のほぼ中央に備え、始動口に球が入賞したことによって表示遊技の実行権が確保され、この実行権に基づいて液晶ディスプレイ上で表示遊技を実行し、その実行結果として特定の図柄（識別情報）が揃ったとき、遊技者に有利な特賞状態になる遊技機が存した。
【手続補正５】
【補正対象書類名】明細書
【補正対象項目名】０００５
【補正方法】変更
【補正の内容】
【０００５】
【発明が解決しようとする課題】
従来のスロットマシンやパチンコ機では、縦横斜めのライン上に同一の図柄等を揃えると特賞になるものが大半であり、新鮮味に欠けるという問題があった。
【手続補正６】
【補正対象書類名】明細書
【補正対象項目名】０００６
【補正方法】変更
【補正の内容】
【０００６】
本発明は、以上のような従来技術が有する問題点に着目してなされたもので、斬新な表示遊技が展開される遊技機、特にスロットマシンを提供することを目的としている。
【手続補正７】
【補正対象書類名】明細書
【補正対象項目名】０００７
【補正方法】変更
【補正の内容】
【０００７】
【課題を解決するための手段】
かかる目的を達成するための本発明の要旨とするところは、次の項の発明に存する。
［１］予め定めた特賞表示態様が出現すると特賞になる表示遊技を所定の遊技条件の成立に基づいて実行するスロットマシンにおいて、
該スロットマシンは、液晶ディスプレーの可変表示手段（３０）と、表示制御手段（１１０，１４０）と、特賞発生手段（６０，１２２）とを有し、
前記可変表示手段（３０）は、識別情報をそれぞれ表示する複数の表示領域と該複数の表示領域に表示される識別情報を組み合せて単一の識別情報に表示することが可能であって、
前記表示制御手段（１１０，１４０）は、前記複数の表示領域の識別情報を所定期間にわたってそれぞれ独立に変動させた後に停止させ、該停止状態が前記複数の表示領域で停止する場合と前記複数の表示領域に表示される識別情報を組合せて単一の識別情報に表示する場合とに制御し、
前記特賞発生手段（６０，１２２）は、前記表示制御手段（１１０，１４０）によって、予め定めた単一の識別情報を形成する特賞表示態様が停止表示されたとき、前記特賞を付与するものであることを特徴とするスロットマシン。
【手続補正８】
【補正対象書類名】明細書
【補正対象項目名】０００８
【補正方法】削除
【補正の内容】
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】削除
【補正の内容】
【手続補正１２】
【補正対象書類名】明細書
【補正対象項目名】００１２
【補正方法】削除
【補正の内容】
【手続補正１３】
【補正対象書類名】明細書
【補正対象項目名】００１３
【補正方法】削除
【補正の内容】
【手続補正１４】
【補正対象書類名】明細書
【補正対象項目名】００２７
【補正方法】変更
【補正の内容】
【００２７】
本遊技機で展開される表示遊技には、通常表示遊技と特別表示遊技の２種類がある。通常表示遊技は、特別図柄表示装置３０の各表示領域に「３」や「７」など個別の識別情報が表示され、「７７７」のように同一の識別情報が縦横斜めのいずれかのライン上に揃うと特賞表示態様になる、スロットマシンに見立てたものである。特別表示遊技は、３×３のマトリクス状に配列された９個の表示領域のすべてを用いて大きな「７」などの予め定めた大型識別情報が１つだけ停止表示されると特賞になるものである。
【手続補正書】
【提出日】平成18年11月15日(2006.11.15)
【手続補正１】
【補正対象書類名】明細書
【補正対象項目名】特許請求の範囲
【補正方法】変更
【補正の内容】
【特許請求の範囲】
【請求項１】  遊技媒体の所定領域での通過状況を遊技媒体検出手段により検出し、その検出結果に応じて遊技を進行するようにした遊技機において、
前記遊技媒体検出手段は、
前記遊技媒体の通過の有無に応じて電圧の異なる第１信号を第１信号線により伝送するとともに、前記遊技媒体の通過時及び非通過時の各電圧が、前記第１信号の各電圧とは逆の関係となる第２信号を第２信号線により伝送する信号伝送手段と、
前記信号に関し、遊技媒体が通過するときの電圧及び通過しないときの電圧の差の絶対値を所定値とし、前記信号伝送手段による両信号の電圧の差の絶対値が前記所定値とは異なる場合に、両信号を無効と判定する有効性判定手段と
を備えることを特徴とする遊技機。
【請求項２】  前記有効性判定手段による有効判定に応じ、前記第１信号及び前記第２信号の少なくとも一方に基づき、前記遊技媒体の通過の有無を決定する通過決定手段をさらに備えることを特徴とする請求項１に記載の遊技機。
【請求項３】  前記有効性判定手段による無効判定に応じ、前記遊技媒体の前記所定領域に対する非通過を決定する非通過決定手段をさらに備えることを特徴とする請求項１または請求項２に記載の遊技機。
【手続補正書】
【提出日】平成18年8月31日(2006.8.31)
【手続補正１】
【補正対象書類名】明細書
【補正対象項目名】特許請求の範囲
【補正方法】変更
【補正の内容】
【特許請求の範囲】
【請求項１】 圧縮された原画像ファイルデータを読み込んで印刷可能な画像データを生成する処理を行う画像処理装置であって、 
前記圧縮された原画像ファイルデータを読み込んで復元を含む所定の画像処理を施して印刷可能な画像データを生成する画像データ処理手段と、
１回の主走査で印刷する画像データを記憶する記憶手段と、
前記画像データ処理手段にその都度前記画像データを生成させ、該生成させた画像データを前記記憶手段に一時的に記憶させ、前記記憶手段に１回の主走査で印刷する画像データが記憶された場合に該１回の主走査で印刷する画像データを出力する制御を行う画像データ制御手段とを有することを特徴とする画像処理装置。
【請求項２】 請求項１記載の画像処理装置において、前記原画像ファイルデータは、ＪＰＥＧ圧縮されていることを特徴とする画像処理装置。
【請求項３】 請求項１又は２記載の画像処理装置において、前記原画像ファイルデータは、ＳＤカードから読み込まれることを特徴とする画像処理装置。
【請求項４】 請求項１又は２記載の画像処理装置において、前記原画像ファイルデータは、ケーブルを介して読み込まれることを特徴とする画像処理装置。
【請求項５】 圧縮された原画像ファイルデータを読み込んで復元を含む所定の画像処理を施してビットイメージ形式の画像データを生成する画像データ処理手段と、
１回の主走査で印刷する画像データを記憶する記憶手段と、
前記画像データ処理手段にビットイメージ形式の画像データを生成させ、該ビットイメージ形式の画像データを前記記憶手段に一時的に記憶させ、前記記憶手段に１回の主走査で印刷する画像データが記憶された場合に該１回の主走査で印刷する画像データを出力させる制御を行う画像データ制御手段と、
前記記憶手段から出力された１回の主走査で印刷する画像データを印刷する処理を行う印刷処理手段とを有することを特徴とするプリンタ。
【手続補正２】
【補正対象書類名】明細書
【補正対象項目名】００１７
【補正方法】変更
【補正の内容】
【００１７】
即ち、本発明によれば、圧縮された原画像ファイルデータを読み込んで印刷可能な画像データを生成する処理を行う画像処理装置であって、前記圧縮された原画像ファイルデータを読み込んで復元を含む所定の画像処理を施して印刷可能な画像データを生成する画像データ処理手段と、１回の主走査で印刷する画像データを記憶する記憶手段と、前記画像データ処理手段にその都度前記画像データを生成させ、該生成させた画像データを前記記憶手段に一時的に記憶させ、前記記憶手段に１回の主走査で印刷する画像データが記憶された場合に該１回の主走査で印刷する画像データを出力する制御を行う画像データ制御手段とを有することを特徴とする画像処理装置が得られる。
また、前記原画像ファイルデータは、ＪＰＥＧ圧縮されていても良い。
また、前記原画像ファイルデータは、ＳＤカードから読み込まれるようにしても良い。
一方、前記原画像ファイルデータは、ケーブルを介して読み込まれるようにしても良い。
また、本発明によれば、圧縮された原画像ファイルデータを読み込んで復元を含む所定の画像処理を施してビットイメージ形式の画像データを生成する画像データ処理手段と、１回の主走査で印刷する画像データを記憶する記憶手段と、前記画像データ処理手段にビットイメージ形式の画像データを生成させ、該ビットイメージ形式の画像データを前記記憶手段に一時的に記憶させ、前記記憶手段に１回の主走査で印刷する画像データが記憶された場合に該１回の主走査で印刷する画像データを出力させる制御を行う画像データ制御手段と、前記記憶手段から出力された１回の主走査で印刷する画像データを印刷する処理を行う印刷処理手段とを有することを特徴とするプリンタが得られる。
【手続補正書】
【提出日】平成18年6月29日(2006.6.29)
【手続補正１】
【補正対象書類名】明細書
【補正対象項目名】００３１
【補正方法】変更
【補正の内容】
【００３１】
しかしながら、差動回路５の動作があまり高速になると、定電圧発生回路３が自励発振してしまうので、通常は差動回路５を流れる電流を減らすなどの手段によって、差動回路５が高速に動作しないようにしなければならない。
そのため、差動回路５は帰還信号の脈動に追随できず、ドライバ９への制御信号の変動の最大周波数は、帰還信号の脈動の周波数すなわち温度補償型水晶発振回路１の発振周波数（１０ＭＨｚ帯）よりも低くなる。通常は数１０ｋＨｚ程度である。
【手続補正書】
【提出日】平成18年11月6日(2006.11.6)
【手続補正１】
【補正対象書類名】明細書
【補正対象項目名】特許請求の範囲
【補正方法】変更
【補正の内容】
【特許請求の範囲】
【請求項１】
モジュール式集積装置において、
電力を受け取る回路基板と、
現場取り替え可能装置であって、
前記回路基板及びプロセッサ装置の間の電気的結合を可能にするランド・グリッド・アレイ間挿器ソケットと、前記ランド・グリッド・アレイ間挿器ソケットに取り付けられるソケット枠と、前記ソケット枠に嵌る前記プロセッサ装置とを有するモジュール式プロセッサ装置と、
前記ソケット枠に取り付けられることによって、前記プロセッサの前記回路基板への結合のために前記モジュール式プロセッサ装置を位置決めする支持基台と、
前記支持基台に結合されることで、前記回路基板に対する前記現場取り替え可能装置の挿入及び取り外しのためのハンドルとして前記現場取り替え可能装置を構成し、このことによって、現場において前記現場取り替え可能装置のハンドリングを容易にする非熱構成要素とを備える現場取り替え可能装置と、
少なくとも１つのアンカー小ねじとを備え、
前記回路基板は、少なくとも１つのソケットを有し、前記アンカー小ねじによって前記ソケットを通して前記現場取り替え可能装置に取り付けられることによって、前記回路基板に前記プロセッサを電気的に結合するように前記モジュール式集積装置が組立てられることを特徴とするモジュール式集積装置。
【請求項２】
モジュール式集積装置において、
電力を受け取る回路基板と、
現場取り替え可能装置であって、
前記回路基板及びプロセッサ装置の間の電気的結合を可能にするランド・グリッド・アレイ間挿器ソケットと、前記ランド・グリッド・アレイ間挿器ソケットに取り付けられるソケット枠と、前記ソケット枠に嵌る前記プロセッサ装置とを有するモジュール式プロセッサ装置と、
前記ソケット枠に取り付けられることによって、前記プロセッサの前記回路基板への結合のために前記モジュール式プロセッサ装置を位置決めする支持基台と、
前記モジュール式プロセッサ装置をかなり低い低抵抗熱経路でヒートシンクに熱的に結合して前記プロセッサの熱に対応するために、前記支持基台に結合される前記ヒートシンクとを備える現場取り替え可能装置とを備え、
前記回路基板は前記現場取り替え可能装置に取り付けられることで、前記プロセッサが前記回路基板に電気的に接続するように、前記モジュール式集積装置が組立てられることを特徴とするモジュール式集積装置。
【請求項３】  
前記回路基板と、前記回路基板に取り付けられたアンカー・ブラケットとを有する受け装置をさらに備え、
前記現場取り替え可能装置が前記受け装置に取り付けられことによって、前記モジュール式プロセッサ装置が前記回路基板に結合され、前記プロセッサが前記回路基板に電気的に結合することを特徴とする請求項２に記載のモジュール式集積装置。
【請求項４】  
前記現場取り替え可能装置は、前記ヒートシンクに取り付けられた上カバーを有し、
前記上カバーと共に前記現場取り替え可能装置に備えられ、前記受け装置の前記アンカー・ブラケットに取り付けられる、少なくとも１つのアンカー小ねじと、
前記回路基板への前記プロセッサの結合の際の前記アンカー小ねじによる前記取り付けからの前記プロセッサへの機械的負荷に対処することにより、現場での前記モジュール式集積装置の組立てを容易にする、少なくとも１つの圧縮・負荷管理装置とをさらに備えることを特徴とする請求項２に記載のモジュール式集積装置。
【請求項５】  
前記現場取り替え可能装置が、前記支持基台に取り付けられ、かつ前記ヒートシンクの少なくとも２つを側面を覆う側面スリーブをさらに備えることによって、前記現場取り替え可能装置を保護のために支持し、前記現場取り替え可能装置のハンドリングを容易にすることを特徴とする請求項２に記載のモジュール式集積装置。
【請求項６】
前記現場取り替え可能装置が、前記回路基板への前記現場取り替え可能装置の挿入及び取り外しを行うことができるように構成されていることで、現場での前記現場取り替え可能装置のハンドリングが容易になることを特徴とする請求項２に記載のモジュール式集積装置。
【請求項７】
モジュール式集積装置において、
電力を受け取る回路基板と、
現場取り替え可能装置であって、
前記回路基板及びプロセッサ装置の間の電気的結合を可能にするランド・グリッド・アレイ間挿器ソケットと、前記ランド・グリッド・アレイ間挿器ソケットに取り付けられるソケット枠と、前記ソケット枠に嵌る前記プロセッサ装置とを有するモジュール式プロセッサ装置と、
前記ソケット枠に取り付けられることによって、前記プロセッサの前記回路基板への結合のために前記モジュール式プロセッサ装置を位置決めする支持基台と、
前記支持基台に結合され、前記回路基板に対する前記現場取り替え可能装置の挿入及び取り外しのためのハンドルとして前記現場取り替え可能装置を構成し、このことによって、現場において前記現場取り替え可能装置のハンドリングを容易にする非熱構成要素とを備える現場取り替え可能装置と、
前記回路基板と、前記回路基板に取り付けられたアンカー・ブラケットとを有する受け装置とを備え、
前記現場取り替え可能装置が前記アンカー・ブラケットに取り付けられことによって、前記モジュール式プロセッサ装置が前記回路基板に結合され、前記プロセッサが前記回路基板に電気的に結合することを特徴とするモジュール式集積装置。
【手続補正書】
【提出日】平成18年2月16日(2006.2.16)
【手続補正１】
【補正対象書類名】明細書
【補正対象項目名】発明の名称
【補正方法】変更
【補正の内容】
【発明の名称】外部同期システムおよびこれを用いたカメラシステム、並びに外部同期方法
【手続補正２】
【補正対象書類名】明細書
【補正対象項目名】特許請求の範囲
【補正方法】変更
【補正の内容】
【特許請求の範囲】
【請求項１】  マスター機器から与えられる水平同期信号および垂直同期信号を含む複合同期信号に基づいて内部水平同期信号および内部垂直同期信号を生成し、この生成した内部水平同期信号および内部垂直同期信号に同期させてスレーブ機器を動作させる外部同期システムであって、
前記スレーブ機器は、前記複合同期信号を入力とし、この複合同期信号に含まれる水平同期信号および垂直同期信号を分離する同期分離回路を内蔵するタイミングコントロール回路と、前記同期分離回路で分離され、前記タイミングコントロール回路から出力される水平同期信号の位相を調整する水平位相調整回路とを備え、
前記タイミングコントロール回路は、前記水平位相調整回路で位相調整された水平同期信号を入力とし、この位相調整後の水平同期信号および前記同期分離回路で分離した垂直同期信号に基づいて前記内部水平同期信号および前記内部垂直同期信号を生成する
ことを特徴とする外部同期システム。
【請求項２】  前記同期分離回路で分離され、前記タイミングコントロール回路から出力される垂直同期信号の位相を調整する垂直位相調整回路をさらに備え、
前記タイミングコントロール回路は、前記水平位相調整回路で位相調整された水平同期信号および前記垂直位相調整回路で位相調整された垂直同期信号を入力とし、この位相調整後の水平同期信号および垂直同期信号に基づいて前記内部水平同期信号および前記内部垂直同期信号を生成する
ことを特徴とする請求項１記載の外部同期システム。
【請求項３】  マスター機器から与えられる水平同期信号および垂直同期信号を含む複合同期信号に基づいて内部水平同期信号および内部垂直同期信号を生成し、この生成した内部水平同期信号および内部垂直同期信号に同期させてスレーブ機器を動作させる外部同期システムであって、
前記スレーブ機器は、前記複合同期信号を入力とし、この複合同期信号に含まれる水平同期信号および垂直同期信号を分離する同期分離回路を内蔵するタイミングコントロール回路と、前記同期分離回路で分離され、前記タイミングコントロール回路から出力される垂直同期信号の位相を調整する垂直位相調整回路とを備え、
前記タイミングコントロール回路は、前記垂直位相調整回路で位相調整された垂直同期信号を入力とし、この位相調整後の垂直同期信号および前記同期分離回路で分離した水平同期信号に基づいて前記内部水平同期信号および前記内部垂直同期信号を生成する
ことを特徴とする外部同期システム。
【請求項４】  外部から与えられる水平同期信号および垂直同期信号を含む複合同期信号に基づいて内部水平同期信号および内部垂直同期信号を生成し、この生成した内部水平同期信号および内部垂直同期信号に同期してシステムの動作を行うカメラシステムであって、
前記複合同期信号を入力とし、この複合同期信号に含まれる水平同期信号および垂直同期信号を分離する同期分離回路を内蔵するタイミングコントロール回路と、
前記同期分離回路で分離され、前記タイミングコントロール回路から出力される水平同期信号の位相を調整する水平位相調整回路とを備え、
前記タイミングコントロール回路は、前記水平位相調整回路で位相調整された水平同期信号を入力とし、この位相調整後の水平同期信号および前記同期分離回路で分離した垂直同期信号に基づいて前記内部水平同期信号および前記内部垂直同期信号を生成する
ことを特徴とするカメラシステム。
【請求項５】  前記同期分離回路で分離され、前記タイミングコントロール回路から出力される垂直同期信号の位相を調整する垂直位相調整回路をさらに備え、
前記タイミングコントロール回路は、前記水平位相調整回路で位相調整された水平同期信号および前記垂直位相調整回路で位相調整された垂直同期信号を入力とし、この位相調整後の水平同期信号および垂直同期信号に基づいて前記内部水平同期信号および前記内部垂直同期信号を生成する
ことを特徴とする請求項４記載のカメラシステム。
【請求項６】  マスター機器から与えられる水平同期信号および垂直同期信号を含む複合同期信号に基づいて内部水平同期信号および内部垂直同期信号を生成し、この生成した内部水平同期信号および内部垂直同期信号に同期させてスレーブ機器を動作させる外部同期方法であって、
前記複合同期信号に含まれる水平同期信号および垂直同期信号を同期分離し、
この同期分離した水平同期信号の位相を調整し、
この位相調整後の水平同期信号および前記同期分離後の垂直同期信号に基づいて前記内部水平同期信号および前記内部垂直同期信号を生成する
ことを特徴とする外部同期方法。
【請求項７】  マスター機器から与えられる水平同期信号および垂直同期信号を含む複合同期信号に基づいて内部水平同期信号および内部垂直同期信号を生成し、この生成した内部水平同期信号および内部垂直同期信号に同期させてスレーブ機器を動作させる外部同期方法であって、
前記複合同期信号に含まれる水平同期信号および垂直同期信号を同期分離し、
この同期分離した垂直同期信号の位相を調整し、
この位相調整後の垂直同期信号および前記同期分離後の水平同期信号に基づいて前記内部水平同期信号および前記内部垂直同期信号を生成する
ことを特徴とする外部同期方法。
【手続補正３】
【補正対象書類名】明細書
【補正対象項目名】０００１
【補正方法】変更
【補正の内容】
【０００１】
【発明の属する技術分野】
本発明は、外部同期システムおよびこれを用いたカメラシステム、並びに外部同期方法に関し、特にマスター機器から与えられる水平同期信号および垂直同期信号を含む複合同期信号を用いてスレーブ機器を動作させる外部同期システムおよびこれを用いたカメラシステム、並びに外部同期方法に関する。
【手続補正４】
【補正対象書類名】明細書
【補正対象項目名】００１６
【補正方法】変更
【補正の内容】
【００１６】
本発明は、上記課題に鑑みてなされたものであり、その目的とするところは、マスター機器から与えられる同期信号として複合同期信号ＳＹＮＣを用いる場合において、簡単な回路を付加するのみで、複合同期信号ＳＹＮＣに対する位相調整を実現可能な外部同期システムおよびこれを用いたカメラシステム、並びに外部同期方法を提供することにある。
【手続補正書】
【提出日】平成17年11月1日(2005.11.1)
【手続補正１】
【補正対象書類名】明細書
【補正対象項目名】特許請求の範囲
【補正方法】変更
【補正の内容】
【特許請求の範囲】
【請求項１】  気密構造を有し金属ラミネート樹脂フィルムを熱溶着封口した単電池ケースに、正極板、隔離体および負極板を有する発電要素が収納された単電池を、１枚の板状部材と圧迫部材を用いて単電池を圧迫したことを特徴とする電池パック。
【請求項２】  気密構造を有し、金属ラミネート樹脂フィルムを熱溶着封口した単電池ケースに、正極板、隔離体および負極板を有する発電要素が収納された単電池を２個以上積層し、最外側に位置する一方の電池の外側長側面に板状部材を配し、圧迫部材を用いて各単電池を圧迫したことを特徴とする電池パック。
【手続補正書】
【提出日】平成18年8月15日(2006.8.15)
【手続補正１】
【補正対象書類名】明細書
【補正対象項目名】特許請求の範囲
【補正方法】変更
【補正の内容】
【特許請求の範囲】
【請求項１】  前部開口（２４）と、複数の電気コネクタ（４７）が取り付けられたバックプレーン（３０）と、複数のデータ記憶モジュール用ベイスロット（２８）を画定する上部及び底部ガイド板（３４、３６）とを有し、前記ガイド板（３４、３６）の一方が複数の柔軟タブ（４６）を有し、前記ベイスロット（２８）の各々には１つの電気コネクタ（４７）と１つの柔軟タブ（４６）とが位置決めされている、データ記憶モジュール・エンクロージャ（１２）と、データ記憶装置（４８）及びモジュールキャリア（５０）を有する、少なくとも１つのデータ記憶モジュール（１４）であって、前記データ記憶装置（４８）は前記モジュール・エンクロージャ・バックプレーン（３０）の前記電気コネクタ（４７）のうちの１つと嵌合するようなサイズ及び構造に作られた電気コネクタ（５５）を有し、前記モジュールキャリア（５０）は、前記データ記憶装置（４８）が固定的に装着されるキャニスター（５４）と、前記データ記憶装置（４８）が完全に前記モジュール・エンクロージャ（１２）内に挿入された時に前記データ記憶モジュール（１４）をそのベイスロット（２８）内の所定位置にロックするラッチ機構（１００）とを有し、前記キャニスター（５４）は、オープン構造となるように配列された上面部、底面部及び前面部（５６、５８、６０）を有する、データ記憶モジュール（１４）と、を備えて成り、前記データ記憶モジュール（１４）が完全に前記モジュール・エンクロージャ（１２）内へと挿入された時に前記柔軟タブ（４６）の１つが前記データ記憶モジュール（１４）と接触して、通常は前記モジュール及びバックプレーン・コネクタ（４７）へと伝わるであろう力の成分を緩和すると同時に、前記データ記憶モジュール（１４）のモジュール・エンクロージャ（１２）内への挿入を制限して前記コネクター（４７、５５）に過度の嵌合が発生しないようにすることを特徴とする、データ記憶モジュール及びエンクロージャ装置。
【請求項２】  前記ガイド板（３４、３６）の各々が、前記モジュール・エンクロージャ（１２）の前記前部開口（２４）に隣接して配置された位置合わせガイド（４０、４２）を有し、前記少なくとも１つのデータ記憶モジュール（１４）が前記キャニスター（５４）の前記上面部及び底面部（５６、５８）の各々に取り付けられたガイドレール（７６）を有し、前記少なくとも１つのデータ記憶モジュール（１４）が前記モジュール・エンクロージャ（１２）内に挿入される間、前記ガイドレール（７６）が前記位置合わせガイド（４０、４２）に形成された溝（４４）に沿って移動して前記モジュール（１４）のベイスロット（２８）内への適正な位置合わせが確実に行われることを特徴とする、請求項１に記載の装置。  
【請求項３】  前記ガイド板（３４、３６）の各々が、前記位置合わせガイド（４０、４２）から内部方向に間隔をおいた複数の内部ガイドトラック（３８）を有し、前記少なくとも１つのデータ記憶モジュール（１４）が前記モジュール・エンクロージャ（１２）内に挿入される間、前記ガイドレール（７６）が前記ガイドトラック（３８）に沿って移動して前記モジュールのベイスロット（２８）内での適正な位置合わせが更に確実に行なわれることを特徴とする、請求項２に記載の装置。
【請求項４】  前記上部ガイド板（３４）が前記モジュール・エンクロージャ（１２）の前記前部開口に隣接して位置するロックレール（１２４）を有し、前記ラッチ機構（１００）がロックノッチ（１１６）をも有するラッチレバー（１０２）を有し、前記ラッチ機構（１００）がラッチ位置にある時は、前記ロックノッチ（１１６）が前記ロックレール（１２４）を受け止め、しっかりと接触した状態にあることを特徴とする、請求項１に記載の装置。  
【請求項５】  モジュール・エンクロージャ内への挿入に適合したデータ記憶モジュール（１４）であって、上面部、底面部及び前面部（５６、５８、６０）を有するがオープン構造となるように側面部を持たないよう配されたキャニスター（５４）と、前記キャニスター（５４）に取り付けられたラッチ機構（１００）と、前記キャニスター（５４）の前面部（６０）に取り付けられたベゼル（９０）とを有するモジュールキャリア（５０）と、電気コネクタ（５５）が取り付けられ、前記キャニスター（５４）の上面部及び底面部（５６、５８）に固定的に装着されたデータ記憶装置（４８）と、を備えて成る、データ記憶モジュール。  
【請求項６】  前記キャニスター（５４）の前記上面部及び底面部（５６、５８）の各々に取り付けられたガイドレール（７６）を更に備えて成り、前記ガイドレール（７６）はモジュール・エンクロージャ内に配置された位置合わせガイドに沿ってスライドするよう適合していることを特徴とする、請求項５に記載のモジュール。  
【請求項７】  前記ガイドレール（７６）の各々が先細りの端部（７８）を有し、これにより前記データ記憶モジュール（１４）の前記モジュール・エンクロージャ内での挿入及び位置合わせを容易にしたことを特徴とする、請求項６に記載のモジュール。  
【請求項８】  前記キャニスター（５４）の前記前面部（６０）が細長い指用の開口（８４）を有し、前記ベゼル（９０）が指用の空洞（９８）を有し、前記細長い指用開口（８４）及び前記指用空洞（９８）が前記データ記憶モジュール（１４）の持ち運びを容易にしたことを特徴とする、請求項５に記載のモジュール。
【請求項９】  前記ベゼル（９０）が、持つ人の手のひらにフィットするように形作られた外表面（９２）を有することを特徴とする、請求項８に記載のモジュール。  
【請求項１０】  前記データ記憶装置（４８）がディスクドライブであることを特徴とする、請求項５に記載のモジュール。
【手続補正書】
【提出日】平成18年7月26日(2006.7.26)
【手続補正１】
【補正対象書類名】特許請求の範囲
【補正対象項目名】全文
【補正方法】変更
【補正の内容】
【特許請求の範囲】
【請求項１】
各々を識別可能な複数種類の識別情報を可変表示可能な可変表示手段を備え、特定入賞部への遊技媒体の入賞にもとづいて複数種類の識別情報の可変表示を開始し、当該複数種類の識別情報の可変表示の表示結果が特定表示結果となったときに遊技者にとって有利となる特定遊技状態に移行可能な遊技機であって、
初期設定処理を行った後、所定の処理を繰り返し実行するメインルーチンと、前記メインルーチン実行中の所定時間毎に発生するタイマ割込に応じて前記メインルーチンを中断して起動される割込ルーチンとを実行する遊技制御用マイクロコンピュータを備え、
前記遊技制御用マイクロコンピュータは、
遊技機に対する電力供給が開始されたときにのみ遊技機に設けられているクリアスイッチの状態の判定を行い、該クリアスイッチがオン状態であると判定したときに、ＲＡＭにデータが保存されていてもその内容を初期化し、
前記割込ルーチンにおいて、特定遊技状態とするか否かを決めるための特定遊技状態決定用数値を所定の範囲内で更新する特定遊技状態判定用数値更新処理と、所定の時期に前記特定遊技状態決定用数値の更新の初期値をＲＡＭの所定アドレスに格納されている初期値用数値に変更する初期値変更処理とを含む遊技制御処理を実行するとともに、
前記メインルーチンにおいて、前記所定の処理として、前記所定アドレスに格納されている初期値用数値を更新する初期値用数値更新処理を実行し、
前記メインルーチンにおける初期値用数値更新処理を開始する前に前記タイマ割込による割込を禁止し、初期値用数値更新処理の完了後に前記タイマ割込による割込を許可する
ことを特徴とする遊技機。
【手続補正２】
【補正対象書類名】明細書
【補正対象項目名】００１２
【補正方法】変更
【補正の内容】
【００１２】
本発明による遊技機は、各々を識別可能な複数種類の識別情報を可変表示可能な可変表示手段を備え、特定入賞部への遊技媒体の入賞にもとづいて複数種類の識別情報の可変表示を開始し、当該複数種類の識別情報の可変表示の表示結果が特定表示結果となったときに遊技者にとって有利となる特定遊技状態に移行可能な遊技機であって、初期設定処理を行った後、所定の処理を繰り返し実行するメインルーチンと、メインルーチン実行中の所定時間毎に発生するタイマ割込に応じてメインルーチンを中断して起動される割込ルーチンとを実行する遊技制御用マイクロコンピュータを備え、遊技制御用マイクロコンピュータは、遊技機に対する電力供給が開始されたときにのみ遊技機に設けられているクリアスイッチの状態の判定を行い、クリアスイッチがオン状態であると判定したときに、ＲＡＭにデータが保存されていてもその内容を初期化し、割込ルーチンにおいて、特定遊技状態とするか否かを決めるための特定遊技状態決定用数値を所定の範囲内で更新する特定遊技状態判定用数値更新処理と、所定の時期に特定遊技状態決定用数値の更新の初期値をＲＡＭの所定アドレスに格納されている初期値用数値に変更する初期値変更処理とを含む遊技制御処理を実行するとともに、メインルーチンにおいて、所定の処理として、所定アドレスに格納されている初期値用数値を更新する初期値用数値更新処理を実行し、メインルーチンにおける初期値用数値更新処理を開始する前にタイマ割込による割込を禁止し、初期値用数値更新処理の完了後にタイマ割込による割込を許可することを特徴とする。
【手続補正３】
【補正対象書類名】明細書
【補正対象項目名】００１３
【補正方法】変更
【補正の内容】
【００１３】
請求項１記載の発明では、遊技機を、初期設定処理を行った後、所定の処理を繰り返し実行するメインルーチンと、メインルーチン実行中の所定時間毎に発生するタイマ割込に応じてメインルーチンを中断して起動される割込ルーチンとを実行する遊技制御用マイクロコンピュータを備え、遊技制御用マイクロコンピュータは、割込ルーチンにおいて、特定遊技状態とするか否かを決めるための特定遊技状態決定用数値を所定の範囲内で更新する特定遊技状態判定用数値更新処理と、所定の時期に特定遊技状態決定用数値の更新の初期値をＲＡＭの所定アドレスに格納されている初期値用数値に変更する初期値変更処理とを含む遊技制御処理を実行するとともに、メインルーチンにおいて、所定の処理として、所定アドレスに格納されている初期値用数値を更新する初期値用数値更新処理を実行し、メインルーチンにおける初期値用数値更新処理を開始する前にタイマ割込による割込を禁止し、初期値用数値更新処理の完了後にタイマ割込による割込を許可するように構成したので、初期値用数値の更新処理が割込にもとづく処理によって阻害されないことから、特定遊技状態決定用の数値のランダム性を向上させるための制御が確実に実行される。その結果、特定遊技状態を狙った不正行為を効果的に防止することができる。